(57)【要約】【課題】  RF-ID素子を組み込んだ鍵を差し込むことにより解錠・施錠を行なうロック装置を提供することを目的とする。【解決手段】  所定のRF-ID素子がセットされることを条件に施錠・解錠するドア・ロック装置において、前記RF-ID素子を有する鍵がセットされると、非接触方式で検知し出力信号を生じる検知回路２３１と、前記検知回路に接続されたコイルを持つ磁極２１２として構成され、前記ドアの鍵穴近傍に配されて前記RF-ID素子との間で電磁波を授受する磁気ユニット２１０と、をそなえたことを特徴とするドア・ロック装置。【選択図】  図１
2006077454.tif 000002
【特許請求の範囲】
【請求項１】
所定のRF-ID素子がセットされることを条件に施錠・解錠するドア・ロック装置において、
前記RF-ID素子を有する鍵がセットされると、非接触方式で検知し出力信号を生じる検知回路と、
前記検知回路に接続されたコイルを持つ磁極として構成され、前記ドアの鍵穴近傍に配されて前記RF-ID素子との間で電磁波を授受する磁気ユニットと、
をそなえたことを特徴とするドア・ロック装置。
【請求項２】
請求項１記載のドア・ロック装置において、
前記磁気ユニットは、前記鍵穴の周囲に前記コイルが巻装された磁極が配されたことを特徴とするドア・ロック装置。
【請求項３】
請求項１記載のドア・ロック装置において、
前記磁気ユニットは、前記鍵穴近傍に、少なくとも１対の磁極を有することを特徴とするドア・ロック装置。
【請求項４】
請求項３記載のドア・ロック装置において、
前記磁極は、筒型のコイル巻装部と、このコイル巻装部の端部に設けられた極片とを有することを特徴とするドア・ロック装置。
【請求項５】
請求項１記載のドア・ロック装置を組み合わせて使用される鍵であって、
前記鍵のつまみ部に、前記RF-ID素子およびアンテナが組み込まれたことを特徴とする鍵。
【発明の詳細な説明】
【技術分野】
【０００１】
本発明は、RF-ID素子を有する鍵によって施錠・解錠を行なうドア・ロック装置に係り、とくに鍵との間で電磁波授受を行なうことにより動作を行なうものに関する。
【背景技術】
【０００２】
従来、機械式錠では、シリンダー錠と呼ばれるロック装置は構造が精密であり、最も安全性が高いものと思われ、広く普及している。
【０００３】
ただし、錠が、如何に機械的に精密であっても、紛失等で鍵が一旦手許を離れると、その鍵自体あるいはその複製を利用することを考えれば、錠としては極めて信頼性の低いものになってしまう。
【発明の開示】
【発明が解決しようとする課題】
【０００４】
そこで、近時、RF-IDと呼ばれるICカードを利用したロック装置が提供されており、電磁波を授受してICカードの記録内容を読み取り、解錠・施錠の条件として用いるものが提供されている。
【０００５】
そして、日常的に使用する鍵としては、電池交換の煩雑さを軽減する意味から、ICカードであっても鍵は無電源方式であることが望ましい。
【０００６】
本発明は上述の点を考慮してなされたもので、RF-ID素子が組み込まれた鍵を差し込むことにより解錠・施錠を行なうロック装置を提供することを目的とする。
【課題を解決するための手段】
【０００７】
上記目的達成のため、本発明では、
所定のRF-ID素子がセットされることを条件に施錠・解錠するドア・ロック装置において、
前記RF-ID素子を有する鍵がセットされると、非接触方式で検知し出力信号を生じる検知回路と、
前記検知回路に接続されたコイルを持つ磁極として構成され、前記ドアの鍵穴近傍に配されて前記RF-ID素子との間で電磁波を授受する磁気ユニットと、
をそなえたことを特徴とするドア・ロック装置、
を提供するものである。
【発明の効果】
【０００８】
本発明は上述のように、RF-ID素子をそなえた鍵が鍵穴に挿入されると磁気ユニットにより電磁波を授受してRF-ID素子に記録された情報を読み取り、正しい情報であるとき施錠・解錠を行なうことができる。したがって、機械式鍵が複製されてもRF-ID素子は複製されないため、複製鍵を鍵穴に挿入することはできても解錠も施錠もできず、安全性の高いドア・ロックを行なうことができる。
【発明を実施するための最良の形態】
【０００９】
以下、添付図面を参照して本発明の実施例を説明する。
【実施例１】
【００１０】
図１は、本発明の実施例１を示す説明図である。図１に示すように、本発明に係るドア・ロック装置は、回動により開閉するドアに取り付けられて用いられるもので、既設のロック装置に替えて設置し得るものである。そこで、全体が一つのケーシング中に収容された構成であって、電源工事を不要にするため電源は電池を用いる。
【００１１】
図１において、ドア枠１００に取り付けられたドア２００は、閂２０１でドア枠１００にロックされる。この閂２０１のロックおよびロック解除を行なうために、RF-ID素子を内蔵した鍵３００を用いる。
【００１２】
この鍵３００は、一般的なシリンダー錠にRF-ID素子および電磁波授受のためのアンテナを内蔵している。RF-ID素子には、当該ドアに割り当てられた特定情報が予め記録されており、この特定情報を読み取るために鍵穴２０２近傍にアンテナ２１０が設けられている。アンテナ２１０は、一対の磁気ユニット２１０により構成され、各磁気ユニット２１０は、コイル２１１、磁極２１２により構成され、各ユニット２１０は相互に磁性部材２２０により構成されている。
【００１３】
そして、図１に示すように、鍵３００が鍵穴に差し込まれた状態では、ドア側のアンテナ２１０の各磁気ユニット２１０と鍵３００の内蔵アンテナとが磁気ループを形成し、電磁波の授受を行なう。
【００１４】
ドア側のアンテナ２１０は、RF-ID回路２２１に接続されており、電磁波授受のための信号はRF-ID回路２３１から与えられる。RF-ID回路２３１は、アンテナ２１０との信号授受により差し込まれた鍵が特定情報を持っているか否か、すなわち正しい鍵か否かを判定する。判定の結果、正しければ施錠解錠回路２３２を介してプランジャ２３４を作動させ、例えば解錠時はプランジャ２３４を図示実線位置から想像線位置に引き上げて閂２０１をロック解除するし、また施錠時は逆に実線位置に戻す。
【００１５】
各回路２３１，２３２は、電池２４０から給電されるのであるが、電池２４０の寿命をできるだけ長くするように、所要時のみ給電するためスイッチＳＷが設けられている。このスイッチＳＷは、鍵３００を鍵穴２０２に差し込んだとき閉じるもので、鍵が差し込まれないときは電池２４０から各回路２３１，２３２に対する給電は行なわれない。
【００１６】
図２(a)，(b)は、図１に示した鍵穴２０２の近傍の構成を示しており、鍵穴２０２を挟んで一対の磁気ユニット２１０が設けられている。これら磁気ユニット２１０は、鍵穴２１０に鍵３００(図１)が差し込まれると、鍵３００を通る磁気ループを形成して鍵３００との電磁波授受を行なうものである。
【００１７】
鍵３００は一般に差し込んだ上で回動させるものであるから、磁気ユニット２１０はもう一組設けられていてもよい。想像線で示す他の一対の磁気ユニット２１０は、そのような意味のものである。
【００１８】
磁気ユニット２１０同士は、磁気部材２２０により磁気的に相互に接続されており、鍵３００を含めた磁気ループを形成して鍵３００の内蔵アンテナとの間の電磁波授受を良好に行なうものである。
【００１９】
図３は、図１および図２に示した磁気ユニット２１０を拡大して示したものである。磁性材により構成された、ドラム型で一端に突極が形成された巻胴にコイル２１１を巻装して構成される。突極は、磁束の集中化のために設けられ、磁束の集中により鍵３００の内蔵アンテナに電磁波を集中させることができる。この結果、鍵との間の電磁波授受が良好に行なわれる。
【００２０】
図４(a)，(b)は、鍵３００を拡大して示したものである。鍵３００は、機械式の鍵要素３０１、つまみ部３０２、そしてつまみ部３０２に内蔵されたアンテナ３０３、RF-ID素子３０４により構成される。鍵要素３０１は、一般的なシリンダー錠の構造を有するものであればよく、つまみ部３０２は内部にアンテナ３０３を収容できるものであればよい。
【００２１】
そして、アンテナ３０３は、鍵穴２０２(図１)に差し込んだときに磁気ユニット２１０と良好に電磁波の授受ができる位置および向きでコイルが設けられていればよい。コイルは、図示のように円形でも四角形でも楕円形でもよい。
【００２２】
アンテナ３０３は、電磁波受信で得た信号をRF-ID素子３０４に与えて記録された特定情報の電磁波をロック装置に送信する。
【実施例２】
【００２３】
図５は、本発明のもう一つの実施例における磁気ユニット２１０が鍵穴２０２そのものを利用して構成されている。この場合、鍵穴２０２の周囲にコイル２１２が巻装され、磁束が鍵３００の挿脱方向に向くように構成されている。
【００２４】
このため、鍵３００の内蔵アンテナ３０３は、コイルの向きを磁束と良好に鎖交するようにコイルの軸を磁束の通る方向に向ける必要がある。
【００２５】
(電源オンオフ要素)
上記実施例では、電池２４０から各回路２３１，２３２への給電を鍵穴２０２に込みこんだスイッチＳＷによりオン、オフするようにしているが、これは他の要素に置き換えることができる。
【００２６】
例えば、ドアへの人の接近を焦電センサにより検知して電池２４０から給電させるとか、鍵３００にマグネットを組み合わせておき、磁気検知により閉じ、磁気がなくなると開くスイッチを用いることもできる。
【００２７】
また、ドア・ロック装置近傍に焦電センサのような人の近接を感知するセンサを設けて、人が近付いたときに電池から給電するようにしてもよい。
【図面の簡単な説明】
【００２８】
【図１】本発明の一実施例の構成を示す説明図。
【図２】図２(a)，(b)は、図１に示した鍵穴２０２の近傍の構成を示す平面図および縦断面図。
【図３】図１および図２に示した磁気ユニット２１０を拡大して示す斜視図。
【図４】図４(a)，(b)は、鍵３００を拡大して示す正面図および右側面図。
【図５】本発明のもう一つの実施例における磁気ユニットの構成を示す説明図。
【符号の説明】
【００２９】
１００  ドア枠、２００  ドア、２０１  閂、２０２  鍵穴、
２１０  磁気ユニット、２１１  コイル、２１２  磁極、２２０  磁性部材、
２３１  RF-ID回路、２３２  施錠解錠回路、２４０  電池、３００  鍵、
３０１  鍵要素、３０２  つまみ部、３０３  アンテナ、３０４  RF-ID素子。
【図１】
2006077454.tif 000003
【図２】
2006077454.tif 000004
【図３】
2006077454.tif 000005
【図４】
2006077454.tif 000006
【図５】
2006077454.tif 000007